(57)【要約】【課題】ウォーターディスペンサー用複合型温水筒構造を提供する。【解決手段】本発明のウォーターディスペンサー複合型温水筒構造は、内部に貯水部を備えた温水筒と、前記温水筒に組み込まれ、前記貯水部を下側貯水部と上側貯水部に区画する隔板と、前記下側貯水部に、温水として作られるための水を供給する流入管と、前記温水筒に設けられ、前記下側貯水部に入ってきた水を加熱して温水を作るヒーターと、前記温水筒の上側貯水部に設けられる温水管とを含んでなり、前記流入管は、前記温水筒の前記下側貯水部に組み込まれる部分がコイル型管部からなり、前記隔板は、前記温水筒の内部の貯水槽に上下昇降可能に組み込まれたことを特徴とする。【選択図】図２
2018516808.tif 000002
【特許請求の範囲】
【請求項１】
内部に貯水部を備えた温水筒と；
前記温水筒に組み込まれ、前記貯水部を下側貯水部と上側貯水部に区画する隔板と；
前記下側貯水部に、温水として作られるための水を供給する流入管と；
前記温水筒に設けられ、前記下側貯水部に入ってきた水を加熱して温水を作るヒーターと；を含んでなることを特徴とする、ウォーターディスペンサー用複合型温水筒構造。
【請求項２】
前記温水筒の前記下側貯水部にドレン管が接続され、前記温水筒の前記上側貯水部に温水管が接続されたことを特徴とする、請求項１に記載のウォーターディスペンサー用複合型温水筒構造。
【請求項３】
前記下側貯水部のボトム部に前記ドレン管が接続されたことを特徴とする、請求項２に記載のウォーターディスペンサー用複合型温水筒構造。
【請求項４】
前記温水筒の内部貯水槽を前記下側貯水部と前記上側貯水部に区画する前記隔板の周囲部は、前記温水筒の内周面から一定距離離隔して、前記下側貯水部から前記上側貯水部へ温水が上がってくる流通ホールが確保されたことを特徴とする、請求項１に記載のウォーターディスペンサー用複合型温水筒構造。
【請求項５】
前記隔板は、両面に連通する流通ホールを備え、前記流通ホールは、前記隔板の周囲部と隣接している位置に複数個備えられたことを特徴とする、請求項１に記載のウォーターディスペンサー用複合型温水筒構造。
【請求項６】
前記隔板の周囲部には、前記下側貯水部と前記上側貯水部のうち少なくとも前記下側貯水部の方向に延びたリニア隔板部がさらに備えられ、前記リニア隔板部によって、前記隔板と前記温水筒の内周面との間の前記流通ホールは、上下幅がさらに広くなったバンド流通ホールで形成されたことを特徴とする、請求項４に記載のウォーターディスペンサー用複合型温水筒構造。
【請求項７】
前記ヒーターは、コイル型ヒーターからなり、前記温水筒の前記下側貯水部に入ってきた水との熱交換表面積を高めるように構成されたことを特徴とする、請求項１に記載のウォーターディスペンサー用複合型温水筒構造。
【請求項８】
前記下側貯水部の周囲部に配置されるように、前記温水筒の外周面にアウターヒーターがさらに備えられたことを特徴とする、請求項１に記載のウォーターディスペンサー用複合型温水筒構造。
【請求項９】
前記アウターヒーターがバンド型ヒーターからなることを特徴とする、請求項８に記載のウォーターディスペンサー用複合型温水筒構造。
【請求項１０】
前記流入管は、前記温水筒の前記下側貯水部に組み込まれる部分がコイル型管からなることを特徴とする、請求項１に記載のウォーターディスペンサー用複合型温水筒構造。
【請求項１１】
前記下側貯水部には、前記コイル型管の内側領域に配置されるようにヒーターが内蔵されたことを特徴とする、請求項１０に記載のウォーターディスペンサー用複合型温水筒構造。
【請求項１２】
前記ヒーターがコイル型ヒーターからなることを特徴とする、請求項１１に記載のウォーターディスペンサー用複合型温水筒構造。
【請求項１３】
前記隔板は前記温水筒の内部の貯水槽に上下昇降可能に組み込まれたことを特徴とする、請求項１に記載のウォーターディスペンサー用複合型温水筒構造。
【請求項１４】
前記隔板には両面に連通する管結合ホールが備えられ、前記流入管は、前記温水筒の内部貯水槽に入り上下に延びたリニア管部と、前記リニア管部に接続されたコイル型管とを含み、前記管結合ホールが前記リニア管部にスライド可能に結合され、前記隔板によって区画された前記下側貯水部に前記コイル型管部が配置され、前記隔板は前記リニア管部に沿って上下に昇降しながら前記上側貯水部と前記下側貯水部の体積を変化させるように構成されたことを特徴とする、請求項１に記載のウォーターディスペンサー用複合型温水筒構造。
【発明の詳細な説明】
【技術分野】
【０００１】
本発明は、ウォーターディスペンサー用複合型温水筒構造に係り、より詳しくは、冷温水サーバーから熱湯を連続取水しても、途中で熱湯がまともに出てこない場合を防止することができる、新しい構成のウォーターディスペンサー用複合型温水筒構造に関する。
【背景技術】
【０００２】
一般に、冷温水サーバーは、内部にヒーターおよび冷却システムが組み込まれており、上部には円筒状の水ボトルを逆さまにセットさせることが可能な水ボトルセット部が設けられており、前方に付いているコックを開いて冷水または温水を手軽に利用することができるようにする。つまり、冷温水サーバーのボディの前方に、レバーを押すと開く冷水用コックと温水用コックを取り付けることにより、冷水用コックのレバーを使用者が押すと、冷水用コックから冷水が取水されて使えるようにし、温水用コックのレバーを使用者が押すと温水用コックから温水が取水されて使えるようにする。
【０００３】
ところが、従来の冷温水サーバーは、温水を使用するために温水用コックから温水を一定量注出すると、しばらくして、熱湯ではなくぬるま湯が出てくるようになり、好きな量の熱湯を十分に使えないという問題がある。例えば、コーヒー３杯程度に相当する量の熱湯を取水すると、その次からは熱湯ではなくぬるま湯が出てくるようになり、コーヒーが完全に溶けないことがある。このように、従来は、熱湯をいくらか連続取水していない状態で熱湯がまともに出てこなくなって使用者に不便さをもたらし、更には消費者から苦情が入ってくるなどの様々な問題がある。
【先行技術文献】
【特許文献】
【０００４】
【特許文献１】韓国登録実用新案第２０−０３５７５１５号公報
【特許文献２】韓国登録実用新案第２０−０４００７５４号公報
【特許文献３】韓国登録特許第１０−１０４１２７６号公報
【特許文献４】韓国登録実用新案第２０−０４５９８５６号公報
【発明の概要】
【発明が解決しようとする課題】
【０００５】
本発明は、前述したような問題を解決するためになされたもので、その目的は、冷温水サーバーから熱湯を連続取水しても、内部に熱湯を満たし続けることが可能な特殊構造を実現することにより、熱湯がまともに出てこない場合を未然に防止することができる、新しいウォーターディスペンサー用複合型温水筒構造を提供することにある。
【課題を解決するための手段】
【０００６】
上記目的を達成するための本発明によれば、内部に貯水部を備えた温水筒と；前記温水筒に組み込まれ、前記貯水部を下側貯水部と上側貯水部に区画する隔板と；前記下側貯水部に、温水として作られるための水を供給する流入管と；前記温水筒に設けられ、前記下側貯水部に入ってきた水を加熱して温水を作るヒーターと；前記温水筒の前記上側貯水部に設けられ、温水使用先に温水が排出されるようにガイドする温水管と；を含んでなることを特徴とする、ウォーターディスペンサー用複合型温水筒構造を提供する。
【０００７】
前記温水筒の内部貯水槽を前記下側貯水部と前記上側貯水部に区画する前記隔板の周囲部は、前記温水筒の内周面から一定距離離隔して、前記下側貯水部から前記上側貯水部へ温水が上がってくる流通ホールが確保されるように構成されたことが好ましい。
【発明の効果】
【０００８】
本発明のウォーターディスペンサー用複合型温水筒構造は、冷温水サーバーから熱湯を連続取水しても、内部で熱湯を満たし続けることが可能な特殊構造を実現することにより、熱湯がまともに出てこない場合を未然に防止することができるので、使用者に不便さをもたらすことを防止することができ、更には、熱湯がまともに出てこないため消費者から苦情が入ってくるなどの様々な問題を解消するという効果がある。
【０００９】
本発明は上記の効果に加えて、他の様々な効果があるが、上記の効果は本発明の主な効果に該当することを理解すべきである。
【図面の簡単な説明】
【００１０】
【図１】本発明による飲料水用複合型温水筒構造の斜視図
【図２】図１のＡ−Ａ線縦断面図
【図３】図１のＢ−Ｂ線縦断面図
【図４】図１に示された本発明の主要部の変形された実施例を示す縦断面図
【図５】図４に示された主要な奥さん版の上昇された状態を示す縦断面図
【図６】本発明の他の主要な奥さんヒーターと流入管の構造を示す斜視図
【図７】図１に示された本発明の主要部の他の変形された実施例を示す縦断面図
【図８】図２に示された本発明の主要部の他の変形された実施例を示す縦断面図
【図９】図８に示された本発明の主な奥さんヒーターと流入管の構造を示す斜視図
【図１０】図９に図示されたヒーターと流入管を採用した飲料水用複合型温水筒構造の一側縦断面図
【図１１】図９に図示されたヒーターと流入管を採用した飲料水用複合型温水筒構造の他側縦断面図
【図１２】図１０に図示された版の上昇された状態を示す縦断面図
【発明を実施するための形態】
【００１１】
以下、添付図面を参照して、本発明の好適な実施例について詳細に説明する。上述した本発明の目的、特徴および利点は、添付図面および以下の詳細な説明を参照することにより、さらに容易に理解できるだろう。図面において、同一の部分については同一の符号を使用する。また、本発明を説明するにあたり、関連した公知の構成または機能についての具体的な説明が本発明の要旨を曖昧にするおそれがあると判断される場合には、その詳細な説明は省略する。
【００１２】
また、本発明の構成要素を説明するにあたり、第１、第２、Ａ、Ｂ、（ａ）、（ｂ）などの用語を使用することができる。このような用語は、その構成要素を他の構成要素と区別するためのものに過ぎない。これらの用語によって当該構成要素の本質、順番または順序などが限定されない。ある構成要素が他の構成要素に「連結」、「結合」または「接続」されると記載されている場合、ある構成要素が他の構成要素に直接連結または接続されてもよく、それらの構成要素の間に別の構成要素が「連結」、「結合」または「接続」されてもよいと理解されるべきである。
【００１３】
図面を参照すると、本発明によるウォーターディスペンサー用複合型温水筒構造は、内部に貯水部を備えた温水筒１０と、この温水筒１０に組み込まれ、貯水部を下側貯水部１４と上側貯水部１２に区画する隔板２０と、温水筒１０の下側貯水部１４に、温水として作られるための水を供給する流入管３０と、前記温水筒１０に設けられ、下側貯水部１４に入ってきた水を加熱して温水を作るヒーター４０と、温水筒１０の上側貯水部１２に設けられた温水管５０とを含んでなる。また、本発明において、隔板２０は温水筒１０の内部貯水部内で昇降し、流入管３０はコイル型管部３６を含むことができる。また、本発明において、隔板２０が温水筒１０の内部貯水部内で昇降するように構成され、隔板２０の昇降に伴って、温水筒内の下側貯水部１４と上側貯水部１２の体積を変化させることができる。
【００１４】
前記温水筒１０は、内部に貯水部を備えた円形筒からなる。温水筒１０は、円形筒以外に、様々な形状からなってもよいのはもちろんである。温水筒１０のボトム部にはドレンホールが設けられ、温水筒１０の上面部には流入管通過ホールおよび温水管接続ホールが設けられる。
【００１５】
前記温水筒１０の下側貯水部１４にドレン管１４が接続される。具体的には、温水筒１０の下側貯水部１４を構成するボトム部にドレン管１４が接続される。ボトム部のドレン管接続ホールにドレン管１４の一端が接続される。
【００１６】
前記隔板２０は温水筒１０の内部貯水部に組み込まれる。隔板２０は、温水筒１０の形状に応じて板の形状が決定される。本発明において、温水筒１０が円形筒状であって、隔板２０は円形板状である。隔板２０によって温水筒１０の内部貯水部が上側貯水部１２と下側貯水部１４とに区画される。また、隔板２０は、周囲部に隣接している部分に、両面に連通する流通ホール２２を備える。複数の流通ホール２２が隔板２０の中心部を基準として円周方向に沿って一定の間隔で配置される。また、隔板２０には、両面に連通する管結合ホール２４が設けられる。
【００１７】
前記隔板２０の周囲部は、温水筒１０の内周面から一定距離離隔して、前記下側貯水部１４から上側貯水部１２へ温水が上がってくる外郭流通ホール２４が確保される。隔板２０の流通ホール２２を介しても、下側貯水部１４から上側貯水部１２へ温水が上がってくることができる。
【００１８】
前記温水筒１０の内部貯水部には流入管３０が組み込まれる。流入管３０は、給水接続管部と、この給水接続管部に上端部が接続されたリニア管部３４とを含む。給水接続管部は、温水筒１０の外部に配置され、リニア管部３４は、温水筒１０の上面部に設けられた流入管通過ホールを貫通して温水筒１０の内部貯水部に組み込まれる。リニア管部３４は、温水筒１０に上下方向に立てられて配置される。流入管３０のリニア管部３４に隔板２０の管結合ホール２４が結合される。つまり、流入管３０のリニア管部３４が温水筒１０の内部貯水部に垂直方向に立てられた状態で、隔板２０の管結合ホール２４を通過して結合される。流入管３０のリニア管部３４が溶接などの方式で隔板２０の管結合ホール２４に固定され、隔板２０が流入管３０に支持されて温水筒１０の内部貯水部に水平方向に配置されるように支持でき、このような隔板２０によって温水筒１０の内部貯水部が上方の上側貯水部１２と下方の下側貯水部１４に区画される。
【００１９】
前記流入管３０のリニア管部３４の下端部は、隔板２０によって区画された下側貯水部１４に組み込まれる。つまり、流入管３０の水流入開始端は水供給部（図示せず）（冷たい水供給部）に接続され、流入管３０の水流入終端は隔板２０によって区画された下側貯水部１４に配置される。流入管３０の水流入終端は、下側貯水部１４を構成する温水管５０のボトム部とほぼ隣接している位置に配置される。流入管３０を構成するリニア管部３４の下端部が水流入終端となるので、流入管３０の下端部が、隔板２０によって区画された温水筒１０の下側貯水部１４に組み込まれた構造をとる。
【００２０】
したがって、前記流入管３０に入ってきた原水（つまり、温水を作るための冷たい水）が温水筒１０の上側貯水部１２を経て隔板２０の下方の下側貯水部１４に供給される。このとき、流入管３０の下端部（すなわち、水流入終端）が温水筒１０のボトム部にほぼ近接して配置されるので、原水が下側貯水部１４のほぼ最下側から下側貯水部１４へ供給される。
【００２１】
一方、前記温水筒１０の内部貯水槽を下側貯水部１４と上側貯水部１２に区画する前記隔板２０の周囲部は、前記温水筒１０の内周面から一定距離離隔して、前記下側貯水部１４から上側貯水部１２へ温水が上がってくる流通ホール２２が確保される。前記隔板２０の直径が温水筒１０の直径よりさらに小さく構成されるため、温水筒１０に組み込まれた流入管３０に隔板２０が支持されて水平に設置された状態で、隔板２０の周囲部と温水筒１０の内周面との間には一定の間隔離隔した流通ホール２２が形成できる。前記隔板２０の周囲部と温水筒１０の内周面との間に確保された流通ホール２２は外郭流通ホール２４とすることができるが、このような隔板２０の周囲部と温水筒１０の内周面との間の流通ホール２２は、温水筒１０の上方から見たとき、環状のホールからなる。もちろん、温水筒１０が円形筒状ではなく他の形状であり、これに対応して隔板２０も他の形状であれば、前記隔板２０の周囲部と温水筒１０の内周面との間に設けられた外郭流通ホール２４も、環状ホールではなく、他の形状のホールからなってもよい。
【００２２】
また、前記隔板２０の周囲部には、下側貯水部１４と上側貯水部１２のうち少なくとも前記下側貯水部１４の方向に延びたリニア隔板部２１がさらに設けられる。リニア隔板部２１と温水筒１０の内周面との間に一定間隔の流通ホール２２（すなわち、前記外郭流通ホール２４）が確保される。
【００２３】
前記隔板２０の周囲部のリニア隔板部２１によって、隔板２０と温水筒１０の内周面との間の流通ホール２２が、上下幅がさらに広くなったバンド流通ホールとして形成できる。本発明では、リニア隔板部２１が下側貯水部１４と上側貯水部１２の両方向に延びた構成をとってもよい。このような場合には、リニア隔板部２１が上下二倍の幅に拡張できる。
【００２４】
本発明では、温水筒１０に備えられたヒーター４０を含む。ヒーター４０は、温水筒１０の下側貯水部１４に入ってきた水を加熱して温水を作る加熱源となる。前記ヒーター４０は、隔板２０によって区画された温水筒１０の下側貯水部１４に内蔵される。このとき、ヒーター４０は、コイル型ヒーターからなり、前記温水筒１０の下側貯水部１４に入ってきた水（原水）との熱交換表面積を高めるように構成される。もちろん、ヒーター４０は、温水筒１０の下側貯水部１４に内蔵されず、下側貯水部１４の周囲部に配置されるように温水筒１０の外周面に備えられてもよい。また、ヒーター４０は、温水筒１０の下側貯水部１４に内蔵され且つ温水筒１０の外周面に備えられた構造をとることもできる。つまり、下側貯水部１４の周囲部に配置されるように温水筒１０の外周面にアウターヒーター４０がさらに備えられる。このとき、アウターヒーター４０はバンド型ヒーターからなる。アウターヒーター４０は、温水筒１０の上下方向に沿って一定の幅で形成されたバンド型ヒーターからなってもよい。
【００２５】
前記温水筒１０の上側貯水部１２には温水管５０が備えられる。温水筒１０の上面部に設けられた温水管接続ホールに温水管５０の一端部が接続され、温水管５０の他端部は温水用コック（バルブ、図示せず）に接続される。前記温水管５０の一端部を温水排出開始端とし、温水管５０の他端部を温水排出終端とすることができるが、温水管５０の温水排出開始端は温水筒１０の上側貯水部１２に連通し、温水排出終端は温水用コック（図示せず）に接続された構造とすることができる。このとき、アウターヒーター４０は、未図示のブラケットとボルトなどの固定手段で温水筒１０の外周面に固定できる。
【００２６】
前述した構成の本発明によれば、前記流入管３０から入ってくる原水（熱湯に温められるための冷たい水）が、温水筒１０の内部の隔板２０によって区画された下方の下側貯水部１４に入ってきて、ヒーター４０の熱によって温水（熱湯）が作られ、前記下側貯水部１４で作られた温水は、隔板２０の両面に連通する流通ホール２２を介して上方の上側貯水部１２に上がってきて、前記隔板２０の周囲部と温水筒１０の内周面との間に確保された外郭流通ホール２４を介しても、下側貯水部１４から熱い温水が上側貯水部１２に上がってくるので、温水筒１０内の隔板２０の上方の上側貯水部１２が熱い温水で満たされる。
【００２７】
一方、前記温水筒１０の上側貯水部１２に熱湯が満たされるとともに、隔板２０の下方の下側貯水部１４にもヒーター４０によって加熱された熱い温水で満たされる。
【００２８】
このような状態で冷温水サーバーの温水用コックが開放されると、前記上側貯水部１２に満たされていた温水が温水用コックを介して排出されて熱い温水が取水され、これと同時に、前記下側貯水部１４からは熱い温水が引き続き上がってきて、上側貯水部１２から排出された量だけの温水を再び上側貯水部１２に充填し、前記下側貯水部１４から温水が上側貯水部１２に上がってくると、下側貯水部１４から上側貯水部１２に上がった量だけの原水（すなわち、冷たい水）が前記流入管３０を介して下側貯水部１４の下から入ってくるが、温水の比重が冷たい水の比重よりもさらに低いため、下側貯水部１４における相対的にさらに上方の層には温水が上がってきて隔板２０上の上側貯水部１２へ供給され、下側貯水部１４における相対的にさらに下方の層に入ってきた冷たい水はヒーター４０によって温められてより上方の層に上がる温水循環供給構造が実現されるので、冷温水サーバーで温水用コックを開いて温水を連続取水しても、途中でぬるま湯が排出されることが防止できる。
【００２９】
言い換えれば、本発明では、温水筒１０の内部貯水部を隔板２０によって上側貯水部１２と下側貯水部１４とに区画し、温水を上側貯水部１２から連続注水しても、下側貯水部１４から熱く温められた温水が使用者による注出量だけ上側貯水部１２に上がってくる構造が実現されることにより、あまりにも急速に冷たい水が熱湯と混ざり合わせられてそのまま排出されることを防止するので、冷温水サーバーから温水を連続取水しても、十分に満足のいく温度の温水が注出されず、あまりにも温度の低いぬるま湯が出てくる場合を未然に防止する。前記隔板２０がなければ、流入管３０に入ってきた冷たい水があまりにも速く高温に温められた熱湯と混ざり合わされ、十分に高温の温水がまともに供給されずにぬるま湯が供給される。ところが、本発明では、前記温水筒１０の内部貯水部を隔板２０によって上側貯水部１２と下側貯水部１４に区画し、下側貯水部１４では継続的かつ迅速に冷たい水を熱い温水に温め、上側貯水部１２から排出された量だけの温水が上側貯水部１２に満たされる構造を実現するため、冷温水サーバーから連続取水することによりぬるま湯が供給される場合を未然に防止するのである。
【００３０】
付け加えると、流入管３０から原水（冷たい水）が下側貯水部１４へ迅速に入ってきて、継続的にヒーター４０によって加熱されて温水（熱湯）が作られているので、冷温水サーバーの温水用コックを介して温水を連続取水しても、ぬるま湯が供給されることを防止することができるうえ、十分な温度の温水（熱湯）を連続注出することができるようにする。
【００３１】
結局、冷温水サーバーから熱湯を連続取水しても、内部で熱湯を満たし続けることが可能な特殊構造を実現することにより、熱湯がまともに出てこない場合を未然に防止することができるので、使用者に不便さをもたらすことを防止することができ、更には、温水がまともに出でこないため消費者から苦情が入ってくるなどの様々な問題を解消するという効果がある。
【００３２】
また、本発明では、隔板２０自体の流通ホール２２だけでなく、隔板２０の周囲部と温水筒１０の内周面との間に確保された外郭流通ホール２４を介しても、下側貯水部１４から上側貯水部１２へ温水が上がってくるので、冷温水サーバーから温水を取水する間、下側貯水部１４からあまりにも遅く温水が上がってきて温水供給量が減少するなどの多少不便な場合を防止することができる。すなわち、前記隔板２０の周囲部と温水筒１０の内周面との間に設けられた外郭流通ホール２４は、冷温水サーバーから温水を連続取水する場合でも、温水の供給量が減少しないように調節することができる上で意味が大きいといえる。
【００３３】
また、前記隔板２０の周囲部にはリニア隔板部２１が備えられ、前記リニア隔板部２１によって、隔板２０の周囲部と温水筒１０の内周面との間の外郭流通ホール２４の帯域（幅）がさらに増加したバンド流通ホールを形成し、前記バンド流通ホールを温水が通りながらヒーター４０の熱が加わる作用をするので、温水を連続取水するときにぬるま湯が供給されることをさらに確実に防止することができる。
【００３４】
また、前記ヒーター４０は、原水との接触面積をさらに高めるようにコイル型ヒーターから構成されるため、温水筒１０の下側貯水部１４に入ってきた原水をさらに迅速に温めて温水を作るので、下側貯水部１４からひょっとして冷たい水が上側貯水部１２へ移動して、十分に満足のいく温度を持たない水（すなわち、ぬるま湯）を作る場合をさらに確実に防止する。
【００３５】
また、前記温水筒１０の外周面にアウターヒーター４０がさらに備えられた場合には、温水筒１０内のヒーター４０とアウターヒーター４０とによって二重に熱を加えて温水筒１０の下側貯水部１４で原水を熱い温水を作るので、冷たい原水から熱い温水を作る速度が少なくとも２倍増えるという効果がある。
【００３６】
この際、前記アウターヒーター４０は、温水筒１０の上下に一定の幅を占めるバンド型ヒーター構造をなしており、コイル型ヒーターの場合に比べて、ところどころ熱が抜ける区間が存在せずに全体の面にわたって熱を加えるので、温水筒１０で熱い温水を作る効率がさらに高くなる。また、アウターヒーター４０がバンド型ヒーターであるから、温水筒１０の外周面にアウターヒーター４０を密着させて設置する作業もより便利な効果も持つ。
【００３７】
一方、本発明の他の実施例では、流入管３０の一部がコイル型管部３６から構成され、コイル型管部３６が温水筒１０の下側貯水部１４に組み込まれる構成とすることができる。本発明の他の実施例において、流入管３０は、給水接続管部と、この給水接続管部に上端部が接続されたリニア管部３４と、このリニア管部３４に上端部が接続されたコイル型管３６とを含んでなり、前記コイル型管部３６が温水筒１０の下側貯水部１４に組み込まれる。
【００３８】
本発明の他の実施例では、流入管３０から入ってくる原水がコイル型管部３６を通りながら長い時間回って流出し、このように長い時間原水が回って流出する過程で、ヒーター４０から発熱する熱との間で熱交換効率をさらに高めるので、温水筒１０の下側貯水部１４で原水が熱い温水にされる効率を一層高め、このような高い熱交換効率によって熱くなった温水が上側貯水部１２に供給されることにより、冷温水サーバーからぬるま湯が排出される場合を確実に防止する。冷温水サーバーから温水を連続取水する途中でぬるま湯が出る場合を確実に防止することにより、冷温水サーバーの使用者に不便さをもたらす場合、または使用者からクレーム（苦情）が入ってくる場合を確実に防止することができる。つまり、流入管３０のコイル型管部３６を介して原水が回って流出しながら、十分な時間、原水が温められる時間が生じるのである。このような十分な時間の原水加熱により熱い温水を確実に作って供給されるようにすることができる。
【００３９】
このとき、前記下側貯水部１４には、流入管３０のコイル型管部３６の内側領域に配置されるようにヒーター４０が内蔵される。ヒーター４０はコイル型ヒーターからなる。このような場合には、コイル型管部３６を介して、原水が十分に長い時間滞在しながら回って流出する。このような過程でコイル型ヒーターが原水を十分に加熱するので、冷たい原水を熱い温水を作る速度がさらに促進される。
【００４０】
また、本発明の別の実施例では、隔板２０が温水筒１０の内部の貯水槽に上下昇降可能に組み込まれ、前記隔板２０には両面に連通する管結合ホール２４が備えられ、前記流入管３０は、温水筒１０の内部貯水槽に入ってきて上下に延びたリニア管部３４と、該リニア管部３４に接続されたコイル型管部３６とを含み、前記管結合ホール２４がリニア管部３４にスライド可能に結合されることで、前記隔板２０によって区画された下側貯水部１４にコイル型管部３６が配置され、前記隔板２０がリニア管部３４に沿って上下に昇降して上側貯水部１２と下側貯水部１４の体積が変化するように構成される。
【００４１】
換言すれば、隔板２０の下方にある下部貯水槽に原水（冷たい水）が入り込み、上側貯水部１２から熱湯が抜けるときに隔板２０が上昇し、前記下部貯水槽に水が入ってくることが止まるときに、下部貯水槽と上部貯水槽とを連通させる流通ホール２２を介して下部貯水槽からの温水が通過しながら自重によって隔板２０が温水筒１０のボトム部側に下降する。隔板２０が温水筒１０の内部貯水槽内で昇降することにより、隔板２０を基準として上側貯水部１２と下側貯水部１４の体積が変化するのである。
【００４２】
本発明の別の実施例によれば、冷温水サーバーから熱湯を取水するにつれて、上側貯水部１２から温水が抜け、下側貯水部１４には原水が満たされ、このような過程で隔板２０が上昇して下側貯水部１４の体積が上側貯水部１２の体積よりさらに大きくなるが、前記下側貯水部１４の下部から入ってくる冷たい水はヒーター４０によって加熱されて熱い温水が作られ、冷たい水の比重よりも熱湯の比重がさらに低いため、熱湯が下側貯水部１４内におけるさらに上方の貯水部に上がり、冷たい水は下側貯水部１４内で下方に下がる循環作用によって熱い温水を作る。
【００４３】
このとき、前記下側貯水部１４におけるさらに上方にある熱い温水が上側貯水部１２に供給され、下側貯水部１４におけるさらに上方にも熱い温水が満たされているので、温水が滞りなく冷温水サーバーの温水用コックを介して供給できる。温水を冷温水サーバーからもはや取水しなければ、隔板２０自体の流通ホール２２、および隔板２０の周囲部と温水筒１０の内周面との間の外郭流通ホール２４を介して下側貯水部１４からの熱い温水が上側貯水部１２に上がってき、隔板２０は自重によって上がっていた位置から再び下降する。
【００４４】
本発明の別の実施例の場合、温水を連続取水するにつれて、温水筒１０の上側貯水部１２から温水が供給されるようにし、これと同時に隔板２０は上昇しながら、隔板２０の下方の下側貯水部１４の体積をさらに増やして下側貯水部１４が温水でさらに多く満たされるようにするので、冷温水サーバーから温水を連続取水する途中でぬるま湯が供給される場合を最も確実に防止することができる。隔板２０が上昇しながら、温水筒１０の下側貯水部１４の体積がその分だけさらに増えるが、下側貯水部１４で作られる熱い温水は比重の差により下側貯水部１４内で相対的にさらに上方の貯水部に上がってき、冷たい水はさらに下方の貯水部に下りることになり、隔板２０が固定されている場合に比べてより迅速に熱い温水を作るので、冷温水サーバーから温水を取水する途中で熱い温水を途切れることなく安定的に供給する機能の面で最も効率が高い。つまり、熱い温水を連続取水することにより、隔板２０が上昇しながら、隔板２０が熱い温水層と冷たい原水層をより確実に区分し、熱い温水の取水を中断すると、自重によって隔板２０が下降するので、熱くなった温水をできるだけ多く使える機能の面から本発明の別の実施例が最も好適であるといえる。
【００４５】
この際、前記隔板２０の周囲部から上下に延びた上部リニア隔板部２１と下部リニア隔板部２１は、隔板２０の管結合ホール２４が中心部から一方に偏っている場合、隔板２０が昇降しながらぐらつくことを防止するので、隔板２０の昇降作動においてより安定し、上部リニア隔板部２１と下部リニア隔板部２１は、端部がそれぞれ温水筒１０の上面部とボトム部に接触しながら、ストッパーの役割をすることができるので、隔板２０を基準として上側貯水部１２と下側貯水部１４の体積を常に適切なレベルに維持することができる。
【００４６】
一方、前記隔板２０は、下方に膨らみ出した板状からなることが好ましい。隔板２０によって温水筒１０の内部貯水部を、水が加熱される下側貯水部１４と、熱い温水が上がってくる上側貯水部１２に区画するが、前記隔板２０が下方に膨らみ出すと、その分だけ熱い温水を入れて置ける上側貯水部１２の空間をさらに増やすことができるので、冷温水サーバーの使用途中で熱い温水がまともに出てこない場合を防止するのにさらに役立つ。
【００４７】
また、前記流入管３０のリニア管部３４には上部ストッパー３４ＵＳと下部ストッパー３４ＬＳが備えられることで、前記隔板２０が温水筒１０の内部において上方に上がるときに上部ストッパー３４ＵＳに隔板２０の上面が係止されるので、隔板２０が過度に上方に上ることを防止し、前記隔板２０が温水筒１０の内部において下方に下がるときに下部ストッパー３４ＬＳに隔板２０の底面が係止されるので、隔板２０が過度に下方に下がることを防止することができる。
【００４８】
以上、本発明の特定の実施例について詳述した。ところが、本発明の思想および範囲はこのような特定の実施例に限定されるものではない。本発明の属する技術分野における通常の知識を有する者であれば、本発明の要旨を変更しない範囲内で多様な修正及び変形を加え得ることを理解するであろう。
【００４９】
したがって、上述した実施例は、本発明の属する技術分野における通常の知識を有する者に発明の範疇を完全に知らせるために提供されるものなので、あらゆる面で例示的なもので、限定的なものではないと理解すべきであり、本発明は請求項の範疇のみによって定義される。
【符号の説明】
【００５０】
１０    温水筒
２０    隔板
３０    流入管
４０    ヒーター
５０    温水管
【図１】
2018516808.tif 000003
【図２】
2018516808.tif 000004
【図３】
2018516808.tif 000005
【図４】
2018516808.tif 000006
【図５】
2018516808.tif 000007
【図６】
2018516808.tif 000008
【図７】
2018516808.tif 000009
【図８】
2018516808.tif 000010
【図９】
2018516808.tif 000011
【図１０】
2018516808.tif 000012
【図１１】
2018516808.tif 000013
【図１２】
2018516808.tif 000014
【国際調査報告】
2018516808.tif 000015
2018516808.tif 000016
2018516808.tif 000017
2018516808.tif 000018